(57)【特許請求の範囲】
【請求項１】
基地局の同期ステータスに関する情報を送信する方法であって：
前記基地局が同期モードまたは非同期モードのどちらで動作しているのかについて判定し、同期判定を行なう段階；
前記基地局が同期モードで動作している場合は第１グループ識別コード（ＧＩＣ）をリモート・ユニットに送信し、前記基地局が非同期モードで動作している場合は第２ＧＩＣを前記リモート・ユニットに送信する段階であって、前記ＧＩＣは、前記基地局が利用する拡散コードの属する拡散コード・グループを示すところの段階；
から成ることを特徴とする方法。
【請求項２】
更に：
前記同期判定に基づいて、前記拡散コードを選択する段階；および
前記拡散コードを用いて変調データを拡散する段階；
より成ることを特徴とする請求項１記載の方法。
【請求項３】
前記拡散コードを選択する前記段階は、前記基地局が同期している場合の前記拡散コードが単一拡散コードを時間シフトしたものであり、それ以外の場合の拡散コードが複数の拡散コードから選択した拡散コードであるところの拡散コードを選択する段階より成ることを特徴とする請求項２記載の方法。
【請求項４】
前記第１および第２ＧＩＣを送信する前記段階は、
第２拡散コードを用いて第１拡散コードを周期的にマスクする段階；および
前記第１拡散コードが前記第２拡散コードによってマスクされている期間内に、前記第１または第２ＧＩＣを送信する段階；
から成ることを特徴とする請求項１記載の方法。
【請求項５】
近隣基地局の同期ステータスに関する情報を送信する方法であって：
第１基地局が、前記近隣基地局が同期モードまたは非同期モードのどちらで動作しているのかについて判定し、前記近隣基地局の同期ステータスの判定を行う段階；
前記同期ステータスに基づいて近隣リスト・メッセージをリモート・ユニットに送信する段階であって、前記近隣リスト・メッセージは、前記近隣基地局に対応するグループ識別コード（ＧＩＣ）から成り、前記ＧＩＣは、前記近隣基地局が利用する拡散コードが属する拡散コード・グループを示すところの段階；
から成ることを特徴とする方法。
【請求項６】
前記送信する段階は、前記近隣基地局の同期ステータスに基づいて、時間オフセットを送信する段階より成ることを特徴とする請求項５記載の方法。
【請求項７】
前記送信する段階は、前記近隣基地局が利用する拡散コードを送信する段階より成り、前記近隣基地局の同期ステータスに基づいて、前記拡散コードが調べられることを特徴とする請求項５記載の方法。
【発明の詳細な説明】
（発明の分野）
本発明は、一般的に、セルラ通信システムに関し、更に特定すれば、基地局の同期ステータスに関する情報を送信する方法および装置に関するものである。
（発明の背景）
既存の直接スペクトル拡散セルラ通信システムのプロトコルでは、通信システム内の基地局が時間的に同期することを要件としている。例えば、符号分割多元接続（ＣＤＭＡ）システム・プロトコルを利用するワイヤレス通信システム内では、当該通信システム内にある全ての基地局を、＋／−３マイクロ秒（μｓ）に同期させることが望ましく、通信システム内にある全ての基地局を少なくとも＋／−１０μｓに同期させることが必須である。"Personal Station-Base Station Compatibility Requirements for 1.8 to 2.0 GHz Code Division Multiple Access (CDMA) Personal Communication Systems"(American National Standards Institute (ANSI) J-STD-008)に記載されているように、ＣＤＭＡシステム内で同期を取る。即ち、全ての基地局は、全地球測位システム（ＧＰＳ）の時間を用いて、共通のＣＤＭＡシステム全体のタイム・スケールを参照する。全ての基地局は同じ疑似ノイズ（ＰＮ）拡散コード（ロング・コード）を用いるが、時間オフセットは異なる。リモート・ユニット（遠隔装置）は、相関器を用いてＰＮコードの存在を検出し、更に単一のＰＮコードの全長を探索することにより、その地理的領域における全ての基地局を検出する。前述のシステムでは、基地局は互いに６４ＰＮチップの整数倍だけオフセットされており、こうして長さ２15、即ち、３２，７６８チップでは一意のオフセットが５１２個可能となる。通信内の基地局全てに共通システム時間を利用させることの大きな利点は、リモート・ユニットがある基地局を獲得したなら、新たな基地局を獲得するためには、公称ＰＮオフセットを中心とした非常に小さな時間ウインドウ（時間枠）内だけを見れば済むことである。
【０００１】
ＧＰＳはどこからでも見ることができる訳ではない（即ち、地下鉄や密集した都市環境）ので、更にバックホール・コスト(backhaul cost)を削減するために、現在のＣＤＭＡ開発者は、次世代ＣＤＭＡシステムでは、その中の基地局を非同期とすることを提案している。非同期の次世代ＣＤＭＡシステムの一例は、K. Higuchi et al. の"Fast Cell Search Algorithm in DS-CDMA Mobile Radio Using Long Spreading Codes" (VTC-97, pp. 1430-1434)において提案されているものである。この提案では、全ての基地局が非同期に動作し、各々が一意のロング・コードおよび共通のショート・コードを有する。基地局は主にこれら２つのコードの積を送信するが、規定の時点において、ロング・コードをマスクし、ショート・コードのみを送信する。したがって、リモート・ユニットは、共通のショート・コードを探索し、強い基地局からの周期的な強い一致，および弱い基地局からの周期的な弱い一致を得ることができる。Higuchi et al.は、移動機が最初にショート・コードを検出し、次いでロング・コード位相，ロング・コード・グループ識別，およびロング・コード識別をフレーム・タイミングと共に判定するプロセスについて教示している。１箇所の基地局と通信中の移動機は、この同じプロセスを用いて、近隣の基地局の存在を連続的に探索しなければならない。何故なら、システム内の基地局は全て同期が取れておらず、リモート・ユニットにタイミング情報を伝達してそれらの探索を軽減することができないからである。このために、非同期システム内でハンド・オフするリモート・ユニットは、新たな基地局を獲得するためには、より大きなコード空間内を監視しなければならない。現在、通信システムが同期しているか否かを判定する方法が存在しないので、次世代ＣＤＭＡシステム内でハンド・オフするリモート・ユニットは、ハンド・オフする際、基地局が時間的に同期していても、（非同期基地局を求めて）より大きなコード空間を探索し、更に（同期した基地局を求めて）時間ウインドウを探索しなければならず、不必要にハンドオフ時間が長くなってしまう。
【０００２】
素早い獲得のために基地局を同期させ、しかも精度の高い時間同期を得ることができない地理的区域においても、システムが動作し、時間同期を失っても継続して動作できることが望ましい。この作業を遂行するためには、リモート・ユニットは、個々の基地局が同期モードまたは非同期モードのどちらで動作しているのかを前もって把握し、リモート・ユニットがそれに応じてその探索技術を変更させることを要する。したがって、基地局の同期ステータスに関する情報をリモート・ユニットに送信し、リモート・ユニットがそれに応じてその探索技術を変更可能とする方法および装置が求められている。
（図面の詳細な説明）
概して言えば、通信システム内の基地局は、個々の基地局が同期モードまたは非同期モードのどちらで動作しているかによって異なる拡散コードを利用する。通信システム内の非同期基地局は、個々の基地局に固有のロング・コードを利用し、同期モードで動作している基地局は、同じロング・コードを時間シフトしたもの(time shifted version)を利用する。通信システム内のリモート・ユニットの探索時間を短縮するために、ある時間期間においてグループ識別コード（ＧＩＣ）を同報通信し、ロング・コードを共通ショート・コードでマスクする。ＧＩＣは６４進ウォルシュ・コード即ち直交ゴールド・コード(Orthogonal Gold code)のサブセットから選択する。ＧＩＣは、各基地局のロング・コードが属するロング・コード（拡散コード）グループを示す。加えて、通信システム内の各基地局は、その同期ステータスを判定し、基地局の同期ステータスに基づいて、特定のＧＩＣおよびロング・コードを利用する。ＧＩＣ情報を分析することによって、基地局を獲得したリモート・ユニットは、個々の基地局が同期モードまたは非同期モードのどちらで動作しているのかを前もって把握し、基地局の同期ステータスに基づいて、それらの探索アルゴリズムを変更することができる。これによって、リモート・ユニットは同期基地局と動作することができ、しかも精度の高い時間同期が得られない地理的区域においても動作することができ、あるいは時間同期が失われた場合でも動作し続けることができる。
【０００３】
本発明は、基地局の同期ステータスに関する情報を送信する方法を含む。この方法は、基地局が同期モードまたは非同期モードのどちらで動作しているのかについて判定する段階と、基地局が同期モードで動作している場合第１グループ識別コード（ＧＩＣ）をリモート・ユニットに送信し、逆に基地局が非同期モードで動作している場合第２ＧＩＣをリモート・ユニットに送信する段階とから成る。本発明の好適実施例では、ＧＩＣは、基地局が利用する拡散コードが属する拡散コード・グループを示す。
【０００４】
加えて、本発明は、近隣基地局の同期ステータスに関する情報を送信する方法も含む。この方法は、第１基地局によって、近隣基地局の同期ステータスを判定する段階と、近隣リスト・メッセージをリモート・ユニットに送信する段階とから成り、近隣リストは、近隣基地局に対応するグループ識別コード（ＧＩＣ）から成る。先に論じたように、ＧＩＣは、近隣基地局が利用する拡散コードが属する拡散コード・グループを示す。
【０００５】
最後に、本発明は、符号分割多元接続（ＣＤＭＡ）通信システムにおける基地局の同期ステータスに関する情報を送信する装置を含む。この装置は、基地局が同期モードまたは非同期モードのどちらで動作しているのかについて判定するコントローラと、このコントローラに結合され、拡散コードを用いて変調データを拡散する拡散回路とから成る。本発明の好適実施例では、拡散コードは、基地局の同期ステータスに基づいて決定される。
【０００６】
第１図は、本発明の好適実施例によるワイヤレス通信システムのブロック図である。本発明の好適実施例では、通信システム１００は、ANSI J-STD-008に記載されているように、ＣＤＭＡシステム・プロトコルを利用する。しかしながら、代替実施例では、通信システム１００は、限定する訳ではないが、直接スペクトル拡散または低速周波数ホッピング・スペクトル拡散システム(slow frequency hopping spread spectrum system)を含む次世代ＣＤＭＡプロトコルのような別のディジタル・セルラ通信システム・プロトコルを利用することも可能である。通信システム１００は、基地局１０１，基地局１０２，リモート・ユニット１１３，中央基地局制御部（ＣＢＳＣ：Centralized Base Station Controller）１０３，および移動交換局（ＭＳＣ：Mobile Switching Center）１０４を含む。本発明の好適実施例では、基地局１０１，１０２は、好ましくは、Motorola SC9600基地局であり、ＭＳＣ１０４は好ましくはMotorola EMX2500  ＭＳＣであり、ＣＢＳＣ１０３は好ましくはMotorola SG1128BF CBSC素子で構成される。図示のように、リモート・ユニット１１３は、アップリンク通信信号１１９によって基地局１０１，１０２と通信しており、基地局１０１，１０２はダウンリンク通信信号１１６によってリモート・ユニット１１３と通信している。本発明の好適実施例では、基地局１０１，１０２はＣＢＳＣ１０３に適切に結合されており、ＣＢＳＣ１０３はＭＳＣ１０４に適切に結合されている。
【０００７】
通信システム１００の動作は次のように行われる。通信システム１００内の基地局は連続的に制御チャネルを同報通信し（ダウンリンク通信信号１１６を通じて）、これをリモート・ユニット１１３が利用して、通信システム１００にアクセスする。一旦リモート・ユニット１１３が、最も強い制御チャネルを有する基地局（この場合、基地局１０１）を決定したなら、リモート・ユニットは、制御チャネルのタイミングを用いて、基地局１０１に時間を合わせる。即ち、本願でも使用可能な、K. Higuchi et al.の"Fast Cell Search Algorithm in DS-CDMA Mobile Radio Using Long Spreading Codes"に記載されているように、リモート・ユニット１１３は、周期的ロング・コード・マスキングに基づく高速セル探索アルゴリズムを利用して、基地局１０１に時間を合わせる。Higuchi et al.によって記載されているように、共通ショート・コード（ＣＳＣ）が周期的にロング・コード上でマスクされる。リモート・ユニット１１３は、ＣＳＣが周期的にロング・コードに現れるという事実を利用して、ロング・コードの位相を検出する。
【０００８】
従来技術のロング・コード利用方法とは異なり、本発明の好適実施例では、通信システム１００内の基地局が利用する個々のロング・コードは、個々の基地局が同期モードまたは非同期モードのどちらで動作しているかによって異なる。即ち、通信システム１００内の非同期基地局は、個々の基地局に一意のロング・コードを利用し、同期モードで動作している基地局は、同じロング・コードを時間シフトしたものを利用する。獲得の間、リモート・ユニット１１３は探索器１３１を用いて、個々のロング・コードの存在を検出する。この場合、単一の時間シフト・ロング・コードが全ての同期基地局に利用され、複数のロング・コードが通信システム１００内の非同期基地局に利用される。同期基地局に対して、リモート・ユニット１１３は、単一のロング・コードの全長を探索すれば、地理的領域内にある全ての同期基地局を検出する。好適実施例では、同期基地局が、６４ＰＮチップの整数倍数だけ、互いから時間シフトされているので、４０，９６０チップでは一意のオフセットが５１２以上可能となる。非同期基地局に対して、リモート・ユニット１１３は、非同期基地局が利用する全てのロング・コードを探索することにより、地理的領域内にある全ての非同期基地局を検出する。本発明の好適実施例では、通信システム１００内の非同期基地局は、５１１個の別個のロング・コードを利用する。
【０００９】
通信システム１００内においてリモート・ユニットの探索時間を短縮するために（即ち、単一ロング・コード全ての探索を回避するために）、ロング・コードをマスクする時間期間、グループ識別コード（ＧＩＣ）を同報通信する。ＧＩＣは、各基地局のロング・コードが属するロング・コード（拡散コード）グループを示す。加えて、通信システム１００内の各基地局は、その同期ステータス（即ち、同期かまたは非同期か）を判定し、基地局の同期ステータスに基づいて、特定のＧＩＣおよびロング・コードを利用する。先に示したように、５１２種類の特定的なロング・コードを利用する。通信システム１００内のリモート・ユニットは、個々の基地局から送信されるＧＩＣを受信し、ＧＩＣデータベース１１４にアクセスして、個々のＧＩＣが同期基地局または非同期基地局のどちらに属するのかについて判定を行なう。例えば、通信システム１００内の基地局が特定のＧＩＣ（例えばＧＩＣ＿１６）を利用して同期基地局を見分けるものとすると、通信システム１００内の総てのリモート・ユニットは、ＧＩＣ＿１６が検出された場合のそのＧＩＣは同期基地局から送信されたという事前知識を有するであろう（内部ストレージ１１４によって）。本発明の好適実施例では、ＧＩＣの数は１６であり、３２個のロング・コードがＧＩＣ１〜１５に属し、単一ロング・コード（同期基地局に対する）がＧＩＣ１６に属する。
【００１０】
本発明の好適実施例では、リモート・ユニット１１３は、初期走査の間、Higuchi et al.によって記載されているように、特定の基地局を探索する。より具体的には、ＣＳＣマスク・フィルタ(CSC masked filter)を用いて、最良のセル・サイトのロング・コード位相が検出される。次に、受信信号と全てのＧＩＣ候補との間で相互相関を求めることにより、ロング・コードＧＩＣを特定する。最後に、特定のＧＩＣに属する可能性があるロング・コード候補全てを探索する。また、この段階において、フレーム・タイミングも得られる。従来技術の探索アルゴリズムとは異なり、リモート・ユニット１１３は、受信した特定のＧＩＣに基づいて、その探索技法を変更する。例えば、リモート・ユニット１１３が特定のＧＩＣを同期基地局のグループに属するものと判定した場合、リモート・ユニット１１３は探索器１３１を利用し、関連する時間オフセットを探索して単一のロング・コードを求める。しかしながら、リモート・ユニット１１３が特定のＧＩＣを非同期基地局のグループに属するものとして識別した場合、リモート・ユニット１１３は探索器１３１を利用して、特定のＧＩＣに属する可能性がある全てのロング・コード候補を探索する。
【００１１】
加えて、J-STD-008に記載されているように、リモート・ユニット１１３を１箇所以上の基地局との同時通信状態に置くことも可能である。これを、複数の基地局がそれぞれ同時に突き止められた場合または突き止められない場合に、それぞれ、「ソフタ・ハンドオフ」(softer handoff)および「ソフト・ハンドオフ」(soft handoff)と呼ぶ。したがって、ソフト・ハンドオフでは、リモート・ユニット１１３は追加の探索を行なって近隣基地局を求める必要がある。ソフト・ハンドオフにおけるリモート・ユニットの探索時間を短縮するために、基地局１０１は、ソフト・ハンドオフの目的のために、近隣基地局のリスト（近隣リスト）を備えている。かかる近隣リストについては、J-STD-008の7.7.2.3.2.3章に詳しく記載されている。しかしながら、従来技術の近隣リストをリモート・ユニットに供給する方法とは異なり、本発明の好適実施例では、近隣リストは、個々の近隣基地局に対するＧＩＣを含み、加えて、同期近隣基地局のみに対する時間オフセット情報（ＰＮオフセット）、または非同期基地局に対するロング・コード情報も含む。リモート・ユニット１１３は、この情報を利用し、追加の基地局を獲得し（先に論じた獲得手順によって）、同時に担当基地局１０１と通信しながら、獲得した全ての基地局を監視する。
【００１２】
表１は、本発明の好適実施例に応じて変更した近隣リスト・メッセージを示す。本発明の好適実施例では、変更近隣リスト・メッセージは、可変ビット・メッセージであり、標準的なページング・チャネルを通じてリモート・ユニット１１３に同報通信され、以下のフィールドの変更を除いて、J-STD-008の7.7.2.3.2.3章に記載されている近隣リスト・メッセージと同様である。
0004282901.tif 000002
【００１３】
近隣基地局が同期している場合、基地局はこのフィールドを、この近隣に対するパイロットＰＮシーケンス・オフセットにセットし、それ以外の場合、基地局は、このフィールドを非同期基地局が利用するロング・コードにセットする。
【００１４】
【表１】
0004282901.tif 000003
以下のフィールドは、各近隣基地局毎に繰り返される。
【００１５】
【表２】
0004282901.tif 000004
近隣リスト・メッセージの変更版に関する表
先に論じたように、高速獲得のために基地局を同期させ、しかも精度の高い同期が得られない地理的区域においてもシステムが動作するか、あるいは時間同期が失われても動作し続けさせることが望ましい。ＧＩＣ情報を分析することによって、基地局を獲得したリモート・ユニットは、個々の基地局が同期モードまたは非同期モードのどちらで動作しているのかについて予め把握し、基地局の同期ステータスに基づいて、その探索アルゴリズムを変更することができる。これによって、リモート・ユニットは、同期基地局と動作しつつ、しかも精度の高い時間同期が得られない地理的区域においても動作することができ、あるいは時間同期が失われた場合でも動作し続けることができる。
【００１６】
第２図は、本発明の好適実施例による第１図の基地局１０１，１０２のブロック図である。基地局１０１，１０２は、複数の直交位相シフト・キーイング（ＱＰＳＫ）変調器２０１，複数の拡散発生器２０３，ロング・コード発生器２０５，２０６，切り替え回路２０７，ＧＩＣ制御部２０９，システム・ステータス供給部２１１，および多数のＧＩＣ２１３〜２１５から成る。動作の間、トラフィック・チャネルまたは制御チャネル・データがＱＰＳＫ変調器２０１に入力し、適切に変調されて、拡散回路２０４に出力される。拡散回路２０４は、拡散コード発生器２０３が発生するショート拡散コードを用いて、ＱＰＳＫ変調データを適切に拡散する。即ち、拡散回路２０４は直交コード（例えば、直交ワード）を各データ・シンボルにモジュロ２加算する。これらの直交コードは、６４×６４アダマール行列からのウォルシュ・コードに対応することが好ましく、その場合、ウォルシュ・コードは、当該行列即ち６４次の直交ゴールド・コードの単一の行または列である。本発明の好適実施例では、ＣＣＨに利用される拡散コードはＣＳＣであり、通信システム１００内の基地局全てに共通である。
【００１７】
続いて、適切に拡散された制御チャネル・データおよびトラフィック・チャネル・データは、それぞれ、拡散回路２１７，２１９によって更に拡散される。本発明の好適実施例では、拡散回路２１７，２１９は、更に、ロング・コード発生器２０５またはロング・コード発生器２０６のいずれかによって発生した一意のロング・コードを用いて、制御チャネルおよびトラフィック・チャネル・データを拡散する。スプレッダ２１７，２１９が利用する個々のロング・コードは、現基地局ステータス（即ち、同期または非同期）に基づいて選択される。即ち、ＧＩＣ／ＬＣ制御部２０９が（システム・ステータス・ユニット２１１によって供給される）現システム・ステータスを分析し、基地局同期ステータスに基づいて、ＬＣ１  ２０５およびＬＣ２  ２０６間で切り替えを行なう。先に論じたように、通信システム１００内の非同期基地局は、個々のロング・コードを５１１個利用し、一方通信システム１００内の同期基地局は単一の時間シフト・ロング・コードを利用する。ＧＩＣ／ＬＣ制御部２０９は、現システム・ステータスを判定し、現システム・ステータスが「同期」の場合、ＧＩＣ／ＬＣ制御部２０９は、切り替え回路２２２に、第１ロング・コード（ＬＣ１。ＬＣ１は同期基地局が利用する単一のロング・コードである）を拡散回路２１７，２１９に供給するように命令する。加えて、同期動作の間、ＧＩＣ／ＬＣ制御部には、ＬＣ１に対する「時間オフセット」が供給され、それに応じてＬＣ１を遅延させる（遅延回路２２４によって）。適切なシステム時間は、システム・ステータス・ユニット２１１が供給するＧＰＳ時間である。ＧＩＣ／ＬＣ制御部２０９が現システム・ステータスは「非同期」であると判定した場合、ＧＩＣ／ＬＣ制御部２０９は第２ロング・コード（ＬＣ２。ＬＣ２は、非同期システムが用いるために、５１１種類のロング・コードのグループから選択される）を拡散回路２１７，２１９に供給する。拡散回路２１７，２１９によって更に拡散した後、得られた信号を加算回路２２５によって加算し、送信フィルタによって濾波し、線形電力増幅器２２７によって増幅し、リモート・ユニット１１３に送信する。
【００１８】
先に論じたように、制御チャネルの送信では、ロング・コード・シーケンスは、１データ・シンボル間隔（ショート・コード長）ずつ周期的にマスクされ、各ロング・コード期間内においてＣＳＣが周期的にＭ回出現することができる。マスキングは切り替え回路２０７によって行なわれる。即ち、スイッチ２０７が「開」の場合、拡散回路２１７にはロング・コードを供給せず、未拡散ＣＳＣのみを加算回路２２５に入力させる。先に論じたように、通信システム１００内のリモート・ユニット１１３は、ＧＩＣがロング・コード内において周期的に出現するという事実を利用し、ロング・コードの探索範囲を狭める。ＣＳＣが未拡散の時間期間、ＧＩＣを加算回路２２５に供給し、（増幅器２２７によって）増幅し、通信システム１００内のリモート・ユニット１１３に送信する。従来技術のＧＩＣ送信方法とは異なり、ＧＩＣ／ＬＣ制御部２０９は、現システム・ステータスに基づいて、送信すべき個々のＧＩＣを決定する。即ち、ＧＩＣ／ＬＣ制御部２０９が現システム・ステータスは「同期」であると判定した場合、ＧＩＣ／ＬＣ制御部２０９は切り替え回路２２１に第１ＧＩＣ（ＧＩＣ１）を加算回路２２５に供給するように命令する。ＧＩＣ／ＬＣ制御部２０９が現システム・ステータスは「非同期」であると判定した場合、ＧＩＣ／ＬＣ制御部２０９は第２ＧＩＣ（ＧＩＣ２）を加算回路２２５に供給する。先に論じたように、あらゆる単一ロング・コードをことごとく探索するのを避けるために、ＧＩＣを同報通信し、各基地局のロング・コードが属するロング・コード・グループを示す。
【００１９】
第３図は、本発明の好適実施例による第１図の基地局から送信される信号の図である。ＬＣ１またはＬＣ２（信号３０１で表わす）の送信の間、切り替え回路２０７は周期的に開き、ＬＣ１またはＬＣ２の送信を注視する。得られた信号（信号３０３として示す）は、各ロング・コード期間内に周期的に現れるＣＳＣを有する。ＣＳＣが周期的に現れる時間に、ＧＩＣ１またはＧＩＣ２を基地局１０１，１０２から送信する（信号３０５）。
【００２０】
第４図は、本発明の好適実施例による第１図の基地局の動作を示すフロー・チャートである。論理フローはステップ４５０において開始し、ここでＧＩＣ／ＬＣ制御部２０９は現システム・ステータスおよびＧＰＳ時間を得る。即ち、ＧＩＣ／ＬＣ制御部２０９には、システム・ステータス／ＧＰＳ時間供給部２１１が、現システム・ステータス（同期／非同期）を供給する。次に、ステップ４１０において、ＧＩＣ／ＬＣ制御部２０９は、システム・ステータスが変化したか否かについて判定を行なう。ステップ４１０において、システム・ステータスが変化した（即ち、同期から非同期、または非同期から同期）とＧＩＣ／ＬＣ制御部２０９が判定した場合、論理フローはステップ４１５に進み、それ以外の場合論理フローはステップ４０５に戻る。ステップ４１５において、ＧＩＣ／ＬＣ制御部２０９は、基地局が同期モードで動作しているか否かについて判定を行い、同期モードで動作している場合、論理フローはステップ４２０に進む。ステップ４２０において、ＧＩＣ／ＬＣ制御部２０９は、切り替え回路２２１を操作して、第１ＧＩＣを切り替え回路２０７に渡す。即ち、ステップ４２０において、切り替え回路２２１はＧＩＣ１を切り替え回路２０７に渡す。次に、ステップ４２５において、ＧＩＣ／ＬＣ制御部２０９は切り替え回路２２２を操作し、第１ロング・コード（ＬＣ１）を切り替え回路２０７に渡す。加えて、ステップ４２５において、ＧＩＣ／ＬＣ制御部は、適正な基地局識別のために、所定量だけ第１ロング・コードを遅延させる（遅延回路２２４によって）。論理フローはステップ４４０に進む。
【００２１】
ステップ４１５に戻って、ＧＩＣ／ＬＣ制御部２０９が、基地局は同期モードで動作していないと判定した場合、論理フローはステップ４３０に進み、ここで切り替え回路２２１は第２ＧＩＣ（ＧＩＣ２）を切り替え回路２０７に渡す。次に、ステップ４３５において、ＧＩＣ／ＬＣ制御部２０９は切り替え回路２２２を操作して、第２ロング・コード（ＬＣ１）を切り替え回路２０７に渡す。論理フローはステップ４４０に進む。ステップ４４０において、切り替え回路２０７は周期的に１データ・シンボル間隔ずつ現ロング・コード・シーケンスをマスクしつつ、同時に現ＧＩＣを同報通信する。
【００２２】
このように現ＧＩＣを供給することによって、基地局が同期モードまたは非同期モードのどちらで動作しているかを示すことにより、基地局を獲得するリモート・ユニットは、通信システムの同期ステータスに基づいて、その探索アルゴリズムを変更することができる。このように、リモート・ユニットは、基地局の同期ステータスに基づいてその探索アルゴリズムを変更することによって、リモート・ユニットは同期基地局と動作することができ、しかも精度が高い時間同期が得られない地理的区域においても動作することができ、あるいは時間同期が失われても動作し続けることができる。
【００２３】
第５図は、本発明の好適実施例による第１図のリモート・ユニットの動作を示すフロー・チャートである。この論理フローはステップ５０１にて開始し、ここでリモート・ユニット１１３は使用可能な制御チャネル（ＣＣＨ）にアクセスし、最も強い制御チャネルを有する基地局を判定する。本発明の好適実施例では、通信システム１００内の基地局は連続的に制御チャネルを（ダウンリンク通信信号１１６を通じて）同報通信し、これをリモート・ユニット１１３が利用して、通信システム１００にアクセスする。一旦リモート・ユニット１１３が最も強い制御チャネルを有する基地局（この場合、基地局１０１）を判定したなら、論理フローはステップ５０５に進み、リモート・ユニットは、基地局１０１が利用している特定のロング・コードを判定する。先に論じたように、リモート・ユニット１１３は、探索器１３１によって、ロング・コード・タイミングを検出する。探索器１３１は、ロング・コード上でマスクされ周期的に現れるＣＳＣを探索し、ロング・コードの位相を判定する。一旦ロング・コードの位相を検出したなら、探索器１３１はＧＩＣを受信する。これは、基地局のロング・コードが属するロング・コードのグループ（例えば、グループ１（ＧＩＣ１））を示す。論理フローはステップ５１０に進み、探索器１３１はＧＩＣデータ・ベース１１４にアクセスして、基地局１０１が同期モードで動作しているか否かについて判定を行なう。ステップ５１０において、リモート・ユニット１１３が、基地局１０１が同期モードで動作していると判定した場合、論理フローはステップ５１５に進み、リモート・ユニット１１３は、通信システム１００内の同期基地局全てに利用されている単一ロング・コードの全長を探索する。ステップ５１０において、リモート・ユニット１１３が、基地局１０１は同期モードで動作していないと判定すると、論理フローはステップ５２０に進み、ＧＩＣグループ内の全てのロング・コードを探索し、続いてフレーム・タイミング検出を行なう。本発明の好適実施例では、これを行なうには、特定のＧＩＣグループ（ＧＩＣ１）に属する３２のロング・コード全てを探索する。
【００２４】
これまでに述べた本発明の説明，具体的な詳細，および図面は、本発明の範囲を限定することを意味するものではない。例えば、同期ステータスに基づいてＧＩＣをグループ化することに加えて、ＧＩＣをグループ化して、他の通信システム・パラメータを示すことも可能である。加えて、好適実施例は、全ての同期基地局に対して単一のＧＩＣを利用すると記載したが、通信システム内の同期基地局の数が３２を超過する場合、多数のＧＩＣを利用して同期基地局を識別することができる。本発明の精神および範囲から逸脱することなく種々の変更が可能である。
【図面の簡単な説明】
【図１】  本発明の好適実施例によるワイヤレス通信システムのブロック図。
【図２】  本発明の好適実施例による第１図の基地局のブロック図。
【図３】  本発明の好適実施例による第１図の基地局から送信される信号の図。
【図４】  本発明の好適実施例による第１図の基地局の動作を示すフロー・チャート。
【図５】  本発明の好適実施例による第１図のリモート・ユニットの動作を示すフロー・チャート。
【図１】
0004282901.tif 000005
【図２】
0004282901.tif 000006
【図３】
0004282901.tif 000007
【図４】
0004282901.tif 000008
【図５】
0004282901.tif 000009